(57)【要約】【課題】  アナログ音声放送の特定の周波数帯域内の電波を受信しながら、当該周波数帯域内のディジタル音声放送の電波を受信して復調処理する音声放送受信装置および方法に関し、希望局と隣接局との間で混信や相互変調が発生するのを抑止して希望局のアナログ音声放送やディジタル音声放送を安定に受信することを目的とする。【解決手段】  アナログ音声放送の受信信号を通過させるアナログ受信信号用の帯域フィルタ2aと、当該帯域フィルタを通過した受信信号を増幅するアナログ受信信号用の増幅器3aと、ディジタル音声放送の受信信号を通過させるディジタル受信信号用の帯域フィルタ2dと、当該帯域フィルタを通過した受信信号を増幅するディジタル受信信号用の増幅器3dとを別々に設け、アナログ受信信号用の増幅器の利得を自動的に制御する機能と、ディジタル受信信号用の増幅器の利得を自動的に制御する機能とをそれぞれ独立して持たせる。【選択図】      図１
2005159535.tif 000002
【特許請求の範囲】
【請求項１】
アナログ音声放送の特定の周波数帯域内の電波、および、前記特定の周波数帯域内で並行して送信されるディジタル放送の電波を同時に受信するチューナ部と、該チューナ部にて受信された受信信号を復調処理して目的とする音声情報を取り出すための復調部とを有する音声放送受信装置において、
前記アナログ音声放送の電波に対応する受信信号を選択的に通過させるアナログ受信信号用の帯域フィルタと、
前記アナログ受信信号用の帯域フィルタを通過した受信信号を増幅して前記復調部に入力するアナログ受信信号用の増幅器と、
前記ディジタル音声放送の電波に対応する受信信号を選択的に通過させるディジタル受信信号用の帯域フィルタと、
前記ディジタル受信信号用の帯域フィルタを通過した受信信号を増幅して前記復調部に入力するディジタル受信信号用の増幅器とをそれぞれ別々に設け、
前記アナログ受信信号用の増幅器の出力信号のレベルに応じて、前記アナログ受信信号用の増幅器の利得を自動的に制御する機能と、前記ディジタル受信信号用の増幅器の出力信号のレベルに応じて、前記ディジタル受信信号用の増幅器の利得を自動的に制御する機能とをそれぞれ独立して持たせることを特徴とする音声放送受信装置。
【請求項２】
前記ディジタル受信信号用の増幅器の利得を制御する際に使用される当該増幅器の出力信号の基準レベルが、前記アナログ受信信号用の増幅器の利得を制御する際に使用される当該増幅器の出力信号の基準レベルよりも低い値に設定されることを特徴とする請求項１記載の音声放送受信装置。
【請求項３】
前記ディジタル放送の電波が実際に送信されていない場合は、前記ディジタル受信信号用の増幅器の利得を制御する際に使用される当該増幅器の出力信号の基準レベルが、前記ディジタル放送の電波が送信されている場合よりもさらに低い値に設定されることを特徴とする請求項２記載の音声放送受信装置。
【請求項４】
前記アナログ受信信号用の増幅器の出力信号と、前記ディジタル受信信号用の増幅器の出力信号とを加算する加算部を設け、該加算部による加算結果を前記復調部に供給することを特徴とする請求項１記載の音声放送受信装置。
【請求項５】
アナログ音声放送の特定の周波数帯域内の電波、および、前記特定の周波数帯域内の下側の帯域と上側の帯域で並行して送信されるディジタル放送の電波を同時に受信するチューナ部と、該チューナ部にて受信された受信信号を復調処理して目的とする音声情報を取り出すための復調部とを有する音声放送受信装置において、
前記アナログ音声放送の電波に対応する受信信号を選択的に通過させるアナログ受信信号用の帯域フィルタと、
前記アナログ受信信号用の帯域フィルタを通過した受信信号を増幅して前記復調部に入力するアナログ受信信号用の増幅器と、
前記ディジタル音声放送の前記下側の帯域の電波に対応する受信信号を選択的に通過させる第１のディジタル受信信号用の帯域フィルタと、
前記第１のディジタル受信信号用の帯域フィルタを通過した受信信号を増幅して前記復調部に入力する第１のディジタル受信信号用の増幅器と、
前記ディジタル音声放送の前記上側の帯域の電波に対応する受信信号を選択的に通過させる第２のディジタル受信信号用の帯域フィルタと、
前記第２のディジタル受信信号用の帯域フィルタを通過した受信信号を増幅して前記復調部に入力する第２のディジタル受信信号用の増幅器とをそれぞれ別々に設け、
前記アナログ受信信号用の増幅器の出力信号のレベルに応じて、前記アナログ受信信号用の増幅器の利得を自動的に制御する機能と、前記第１のディジタル受信信号用の増幅器の出力信号のレベルに応じて、前記第１のディジタル受信信号用の増幅器の利得を自動的に制御する機能と、前記第２のディジタル受信信号用の増幅器の出力信号のレベルに応じて、前記第２のディジタル受信信号用の増幅器の利得を自動的に制御する機能とをそれぞれ独立して持たせることを特徴とする音声放送受信装置。
【請求項６】
前記第１のディジタル受信信号用の増幅器の利得を制御する際に使用される当該増幅器の出力信号の基準レベル、および、前記第２のディジタル受信信号用の増幅器の利得を制御する際に使用される当該増幅器の出力信号の基準レベルの各々が、前記アナログ受信信号用の増幅器の利得を制御する際に使用される当該増幅器の出力信号の基準レベルよりも低い値に設定されることを特徴とする請求項５記載の音声放送受信装置。
【請求項７】
前記ディジタル放送の電波が実際に送信されていない場合は、前記第１のディジタル受信信号用の増幅器の利得を制御する際に使用される当該増幅器の出力信号の基準レベル、および、前記第２のディジタル受信信号用の増幅器の利得を制御する際に使用される当該増幅器の出力信号の基準レベルの各々が、前記ディジタル放送の電波が送信されている場合よりもさらに低い値に設定されていることを特徴とする請求項６記載の音声放送受信装置。
【請求項８】
前記アナログ受信信号用の増幅器の出力信号と、前記第１のディジタル受信信号用の増幅器の出力信号と、前記第２のディジタル受信信号用の増幅器の出力信号とを加算する加算部を設け、該加算部による加算結果を前記復調部に供給することを特徴とする請求項５記載の音声放送受信装置。
【請求項９】
アナログ音声放送の特定の周波数帯域内の電波、および、前記特定の周波数帯域内で並行して送信されるディジタル放送の電波をチューナ部により同時に受信し、該チューナ部にて受信された受信信号を復調部により復調処理して目的とする音声情報を取り出すための音声放送受信方法であって、
アナログ受信信号用の帯域フィルタにより、前記アナログ音声放送の電波に対応する受信信号を選択的に通過させ、さらに、アナログ受信信号用の増幅器により、前記アナログ受信信号用の帯域フィルタを通過した受信信号を増幅して前記復調部に入力し、
ディジタル受信信号用の帯域フィルタにより、前記ディジタル音声放送の電波に対応する受信信号を選択的に通過させ、さらに、ディジタル受信信号用の増幅器により、前記ディジタル受信信号用の帯域フィルタを通過した受信信号を増幅して前記復調部に入力し、
前記アナログ受信信号用の増幅器の出力信号のレベルに応じて、前記アナログ受信信号用の増幅器の利得を自動的に制御する動作と、前記ディジタル受信信号用の増幅器の出力信号のレベルに応じて、前記ディジタル受信信号用の増幅器の利得を自動的に制御する動作とをそれぞれ独立して実行することを特徴とする音声放送受信方法。
【請求項１０】
アナログ音声放送の特定の周波数帯域内の電波、および、前記特定の周波数帯域内の下側の帯域と上側の帯域で並行して送信されるディジタル放送の電波をチューナ部により同時に受信し、該チューナ部にて受信された受信信号を復調部により復調処理して目的とする音声情報を取り出すための音声放送受信方法であって、
アナログ受信信号用の帯域フィルタにより、前記アナログ音声放送の電波に対応する受信信号を選択的に通過させ、さらに、アナログ受信信号用の増幅器により、前記アナログ受信信号用の帯域フィルタを通過した受信信号を増幅して前記復調部に入力し、
第１のディジタル受信信号用の帯域フィルタにより、前記ディジタル音声放送の前記下側の帯域の電波に対応する受信信号を選択的に通過させ、さらに、第１のディジタル受信信号用の増幅器により、前記第１のディジタル受信信号用の帯域フィルタを通過した受信信号を増幅して前記復調部に入力し、
第２のディジタル受信信号用の帯域フィルタにより、前記ディジタル音声放送の前記上側の帯域の電波に対応する受信信号を選択的に通過させ、さらに、第２のディジタル受信信号用の増幅器により、前記第２のディジタル受信信号用の帯域フィルタを通過した受信信号を増幅して前記復調部に入力し、
前記アナログ受信信号用の増幅器の出力信号のレベルに応じて、前記アナログ受信信号用の増幅器の利得を自動的に制御する動作と、前記第１のディジタル受信信号用の増幅器の出力信号のレベルに応じて、前記第１のディジタル受信信号用の増幅器の利得を自動的に制御する動作と、前記第２のディジタル受信信号用の増幅器の出力信号のレベルに応じて、前記第２のディジタル受信信号用の増幅器の利得を自動的に制御する動作とをそれぞれ独立して実行することを特徴とする音声放送受信方法。
【発明の詳細な説明】
【技術分野】
【０００１】
本発明は、アナログ音声放送の特定の周波数帯域内（チャネル）の電波を受信すると同時に、当該周波数帯域内で並行して送信される地上波ディジタル放送等のディジタル音声放送の電波を受信して復調処理することにより、目的とする音声情報（音声データ）を取り出すための音声放送受信装置および受信方法に関する。
【０００２】
北米では、現行のアナログ音声放送（例えば、ＡＭ（amplitude modulation：振幅変調）ラジオ放送およびＦＭ（frequency modulation：周波数変調）ラジオ放送で特定の周波数帯域内のアナログ変調波を含む電波を送信しながら、同じ周波数帯域内で並行して、直交周波数分割多重（通常、ＯＦＤＭ（orthogonal frequency division multiplex ）と呼ばれる）方式等を利用したディジタル音声放送のディジタル変調波を含む電波を重畳して送信することができるようなＩＢＯＣ（in-band on-channel）方式が現在採用されている。
【０００３】
特に、本発明は、ユーザが希望するチャネルの放送局と当該放送局に隣接するチャネルの放送局との間で混信が発生するのを抑止しつつ、例えば上記のＩＢＯＣ方式を使用して同時に送信されるアナログ音声放送およびディジタル音声放送を安定に受信するための一手法について言及するものである。
【背景技術】
【０００４】
図７は、北米の地上波ディジタル放送に使用されるＩＢＯＣ方式の概要を説明するための模式図である。ただし、ここでは、北米で現在採用されているＩＢＯＣ方式であって、現行のＦＭラジオ放送の特定の周波数帯域（スペクトラムマスク）内の電波を送信しながら、同じ周波数帯域内で地上波ディジタル放送の電波を重畳して送信する場合のＩＢＯＣ方式の概要を説明することとする。このようなＩＢＯＣ方式においては、一般に、複数のチャネル中のある一つのチャネルの周波数帯域内で現行のＦＭラジオ放送のアナログ変調波を送信しながら、同じ周波数帯域内で地上波ディジタル放送等のディジタル音声放送のディジタル変調波を同時に送信するようになっている。
【０００５】
さらに詳しくいえば、図７に示すように、一つの周波数帯域内の中央部のバンドＭＢにおいてＦＭラジオ放送のアナログ変調波を送信すると同時に、当該周波数帯域内の下側および上側のサイドバンドＳＢにおいてディジタル音声放送のディジタル変調波を送信するようになっている。これらのアナログ変調波およびディジタル変調波の送信電力Ｐｓや周波数帯域幅等は、米国連邦通信委員会（federal communications commission ：通常、ＦＣＣと略記する）で予め規格化されているスペクトラムマスクＳＭにより制限される。
【０００６】
より具体的には、ある一つのチャネルの周波数帯域幅（図７の横軸の周波数ｆ参照）は、スペクトラムマスクＳＭに基づいて約４４０ｋＨｚ（中心チャネルから±２２０ｋＨｚ）に設定されている。さらに、ＦＭラジオ放送のアナログ変調波の周波数帯域幅は、スペクトラムマスクＳＭに基づいて、中央部のバンドＭＢで約２２０ｋＨｚ（中心チャネルから約±１１０ｋＨｚ）に設定されている。また一方で、ディジタル音声放送のディジタル変調波の周波数帯域幅は、スペクトラムマスクＳＭに基づいて、下側および上側のサイドバンドＳＢの各々で約９０ｋＨｚ（下側のサイドバンドで中心チャネルから約１３０〜２２０ｋＨｚ低い側、上側のサイドバンドで中心チャネルから約１３０〜２２０ｋＨｚ高い側）に設定されている。
【０００７】
さらに、図７のＩＢＯＣ方式において、ディジタル音声放送のディジタル変調波は、スペクトラムマスクＳＭに基づいて、ＦＭラジオ放送のアナログ変調波よりも約２２ｄＢ（−２．５ｄＢ／ｋＨｚ）小さい電力で送信される。
【０００８】
ここで、ある一つのチャネルの放送局と当該放送局に隣接するチャネルの放送局との周波数間隔は、２００ｋＨｚに設定されている。実際の音声放送受信装置においては、隣接するチャネルの影響をできる限り少なくするために、帯域フィルタ（後述の図８および図１０参照）を使用して、約４００ｋＨｚ以内（中心チャネルから約±１９９ｋＨｚ）の周波数帯域内に存在するアナログ変調波およびディジタル変調波を選択的に通過させるようにしている。
【０００９】
図７の下側および上側のサイドバンドＳＢの各々で送信されるディジタル音声放送には、ＦＭラジオ放送に含まれるアナログ音声情報と同一内容のディジタル音声情報が含まれている。さらに、ディジタル音声放送では、当該ディジタル音声情報以外に、放送局名（放送チャネル名）や天気予報等の少量のテキストデータ（静止画の送信も検討中）が送信される。
【００１０】
図８は、従来のＩＢＯＣ方式による音声放送受信装置の構成を示すブロック図、図９は、従来のＩＢＯＣ方式による音声放送受信装置の受信特性を示す受信特性図、そして、図１０は、図８の帯域フィルタの周波数特性を示す周波数特性図である。
【００１１】
ただし、図８では、従来のＩＢＯＣ方式による音声放送受信装置の構成を簡略化して示す。このＩＢＯＣ方式による音声放送受信装置により受信されるアナログ音声放送として、ＦＭラジオ放送（搬送周波数８８〜１０８ＭＨｚ）およびＡＭラジオ放送（搬送周波数５３０〜１７００ｋＨｚ）が考えられるが、ここでは、ＦＭラジオ放送を受信する場合を代表して示す。
【００１２】
図８に示す音声放送受信装置は、ＩＢＯＣ方式を使用して送信されたＦＭラジオ放送のアナログ変調波およびディジタル音声放送のディジタル変調波を同時に受信するチューナ部１００と、このチューナ部１００にて受信された受信信号Ｓｒを復調処理して目的とする音声情報を取り出すための復調部５５０とを備えている。
【００１３】
さらに詳しく説明すると、図８の音声放送受信装置において、チューナ部１００は、アンテナＡＴを通して受信されたＦＭラジオ放送の複数のチャネルの中から、特定のチャネルの周波数帯域内のアナログ変調波およびディジタル変調波を選択的に取り出すチャネル選局処理部と、当該チャネルの周波数帯域内のアナログ変調波およびディジタル変調波（高周波信号）を中間周波信号に変換するための高周波信号／中間周波信号変換部とを含む。この中間周波信号の中間周波数の値は、例えば１０．７ＭＨｚに設定される。
【００１４】
チューナ部１００内の高周波信号／中間周波信号変換部から取り出された中間周波信号（受信信号Ｓｒ）は、中間周波信号用の帯域フィルタ（以下、ＩＦ帯域フィルタと略記する）２００を通過させることによって、特定のチャネルの約４００ｋＨｚの周波数帯域内に存在するアナログ変調波およびディジタル変調波を含む中間周波信号Ｓｆとして選択的に取り出される。さらに、このＩＦ帯域フィルタ２００から取り出された中間周波信号Ｓｆは、中間周波増幅器（以下、ＩＦ増幅器と略記する）３００によって所定のレベルになるように増幅され、復調部５５０に入力される。
【００１５】
ＩＦ増幅器３００から出力される出力信号である中間周波信号Ｓｇは、中間周波自動利得制御部（以下、ＩＦ  ＡＧＣと略記する）４００に入力され、ＩＦ増幅器３００にフィードバックされる。このＩＦ  ＡＧＣ４００は、中間周波信号Ｓｇのレベルに応じて、ＩＦ増幅器３００の利得（増幅度）を自動的に制御する機能を有する。なお、後述のアナログＩＦ信号処理部５００に供給される中間周波信号をＩＦ  ＡＧＣ４００に入力することによっても、ＩＦ増幅器３００の利得を自動的に制御することが可能である。
【００１６】
上記のＩＦ帯域フィルタ２００、ＩＦ増幅器３００およびこのＩＦ  ＡＧＣ４００では、特定のチャネルの約４００ｋＨｚの周波数帯域内に存在するアナログ変調波およびディジタル変調波を含む中間周波信号が取り出され、このアナログ変調波およびディジタル変調波を含む中間周波信号の出力レベルが自動的に調整されることになる。
【００１７】
また一方で、図８の音声放送受信装置において、復調部５５０は、ＩＦ増幅器３００から出力される中間周波信号Ｓｇに含まれるアナログ変調波をディジタル形式の中間周波信号Ｓｄｉに一旦変換する中間周波信号用アナログ／ディジタル変換部（以下、ＩＦ  Ａ／Ｄと略記する）３５０と、このディジタル形式の中間周波信号Ｓｄｉの復調処理を行ってアナログ音声信号Ｓａａを取り出すアナログ中間周波信号処理部（以下、アナログＩＦ信号処理部と略記する）５００と、ＩＦ増幅器３００から出力される中間周波信号Ｓｇに含まれるディジタル変調波を復調処理し、サンプリング速度変換部６６０を介してディジタル音声信号Ｓｄａを取り出すディジタル中間周波信号処理部（以下、ディジタルＩＦ信号処理部と略記する）６００とを備えている。このディジタルＩＦ信号処理部６００はまた、チューナ部１００にて選択されたチャネルを解読し、チャネルデコード信号Ｓｃｈとして音声信号混合部７００に送出する。
【００１８】
ここで、上記中間周波信号Ｓｇに含まれるディジタル変調波は、ＩＦ  Ａ／Ｄ３５０およびアナログＩＦ信号処理部５００をそのまま通過し、Ｉ軸（時間軸）方向およびＱ軸（周波数軸）方向にデータが配置されたＯＦＤＭ方式の直交変調信号としてディジタルＩＦ信号処理部６００に入力される点に注意すべきである。
【００１９】
さらに、図８の音声放送受信装置において、復調部５５０は、アナログＩＦ信号処理部５００から取り出されたアナログ音声信号ＳａａとディジタルＩＦ信号処理部６００から取り出されたディジタル音声信号Ｓｄａとをブレンド（blend ）操作により混合する音声信号混合部７００と、この音声信号混合部７００にて混合された混合音声信号Ｓｂに対し、ディジタルフィルタ等によるフィルタ処理を施して目的とする音声を含む音声情報Ｓｄｐを生成する音声信号処理部８００とを備えている。音声信号混合部７００および音声信号処理部８００は、通常、ディジタル信号処理用のディジタル信号プロセッサ（通常、ＤＳＰ（digital signal processor）と略記される）により構成される。
【００２０】
ここで、ディジタルＩＦ信号処理部６００では、約１ＭＨｚのサンプリング速度（サンプリング周波数）で直交変調信号の復調処理が行われる。これに対し、アナログＩＦ信号処理部５００では、約４４ｋＨｚのサンプリング速度で中間周波信号の復調処理が行われる。それゆえに、音声信号混合部７００によりブレンド操作を行う前に、ディジタルＩＦ信号処理部６００から取り出された復調処理信号Ｓｐａのサンプリング速度を、アナログＩＦ信号処理部５００から取り出されたアナログ音声信号Ｓａａのサンプリング速度に合せる必要がある。このために、ディジタルＩＦ信号処理部６００から取り出された復調処理信号Ｓｐａは、サンプリング速度変換部６６０によりダウンサンプリング処理が施された後に、アナログ音声信号Ｓａａと同程度のサンプリング速度を有するディジタル音声信号Ｓｄａとして音声信号混合部７００に入力される。
【００２１】
さらに、図８の音声放送受信装置において、音声信号処理部８００から取り出されたディジタル形式の音声情報Ｓｄｐは、ディジタル／アナログ変換部（図８では、Ａ／Ｄと略記して示す）８２０によりアナログ形式の音声情報Ａｄに変換される。ディジタル／アナログ変換部８２０から取り出されたアナログ形式の音声情報Ａｄは、最終的にスピーカ８４０に入力され、ユーザが希望する放送局のアナログ音声放送およびディジタル音声放送の音声がスピーカ８４０から出力される。
【００２２】
さらに、図８の音声放送受信装置においては、各種の制御信号Ｓｃｏに基づいて、音声放送受信装置１１０内の各構成要素の一連の動作を制御する制御部９００が設けられている。この制御部９００は、通常、中央演算処理装置（通常、ＣＰＵ（central processing unit ）と略記される）により実現される。
【００２３】
ついで、図９の受信特性図を参照しながら、図８の従来の音声放送受信装置を使用してＦＭラジオ放送等のアナログ音声放送のアナログ変調波（必要に応じて、アナログ波と略記する）とディジタル音声放送のディジタル変調波（必要に応じて、ディジタル波と略記する）とを同時に受信する場合の受信特性について説明する。
【００２４】
図９では、ユーザが希望する放送局からの距離と、従来の音声放送受信装置により受信された受信音声の音質との関係を示すグラフが図示されている。図９のグラフから明らかなように、ディジタル音声信号を含むディジタル波に関していえば、ユーザが希望する放送局からの距離が近い場合には、比較的良好な音質でディジタル波を受信することができるが、当該放送局からの距離が所定の値より大きくなると、その音質が急激に劣化してディジタル波を受信することができなくなる。また一方で、アナログ音声信号を含むアナログ波に関していえば、ユーザが希望する放送局からの距離が遠くなるにつれて、受信したアナログ波の音質が緩やかに低下していく。
【００２５】
換言すれば、当該放送局からの距離が近い場合の中電界以上の電界では、比較的良好な音質のディジタル音声信号を受信することが可能であり、当該放送局からの距離が遠い場合の弱電界以下の電界では、アナログ音声信号を受信することが可能である。
【００２６】
音声信号混合部７００のブレンド処理によって、上記のような受信特性を有するアナログ音声信号およびディジタル音声信号を混合する場合、中電界以上の電界では、アナログ音声信号よりも良好な音質を有するディジタル音声信号（図９のユーザメリットの領域を参照のこと）を優先して取り出すことによって音声信号のディジタル化を行う。これによって、中電界以上の電界での音質が向上する。また一方で、弱電界以下の電界では、ディジタル音声信号が受信できなくなってアナログ音声信号に自動的に切り替わるので、サービスエリアは一般のＦＭラジオ放送およびＡＭラジオ放送の場合と変わらない。
【００２７】
さらに、図１０を参照しながら、図８のＩＦ帯域フィルタ２００の周波数特性について説明する。図１０の（ａ）に示すように、ＦＭラジオ放送の特定のチャネルにおける周波数帯域内のバンドＭＢに存在するアナログ波のみを選択的に通過させる場合、ＩＦ帯域フィルタの帯域幅を約２００ｋＨｚに設定すればよい。しかしながら、従来のＩＢＯＣ方式による音声放送受信装置では、当該チャネルにおける周波数帯域内のバンドＭＢに存在するアナログ波のみでなく、下側および上側のサイドバンドＳＢに存在するディジタル波もＩＦ帯域フィルタにより通過させる必要がある。それゆえに、図１０の（ｂ）に示すように、ＩＦ帯域フィルタの帯域幅を約４００ｋＨｚに設定する必要がある。
【００２８】
このため、アナログ波のみを通過させる場合よりもＩＦ帯域フィルタの帯域幅を広帯域にする必要が生じてくる。前述のように、ある一つのチャネルの放送局と当該放送局に隣接するチャネルの放送局との周波数間隔は、たった２００ｋＨｚしかない。この結果、ユーザが希望するチャネルの放送局（必要に応じて、希望局と略記する）と当該放送局に隣接するチャネルの放送局（必要に応じて、隣接局を略記する）との間で混信が発生するおそれが生じる。
【００２９】
図１１および図１２は、従来技術の問題点を説明するための模式図のその１およびその２である。図１１および図１２の模式図を参照しながら、従来のＩＢＯＣ方式による音声放送受信装置を使用して希望局のアナログ波およびディジタル波を受信する場合の問題点を説明する。
【００３０】
図１１および図１２の（ａ）に示すように、希望局Ｓ−０のチャネルの周波数帯域内（チャネルの中心周波数ｆｄ）で送信されるＩＢＯＣ方式のアナログ音声放送およびディジタル音声放送を移動体Ｃ内で受信している最中に、希望局Ｓ−０の周波数帯域内の上側のサイドバンド（チャネルの中心周波数ｆｄ＋２００ｋＨｚ）に隣接する隣接局（すなわち、上側の隣接局）Ｓ−１に近づいている場合を想定する（状況（１））。ここで、上側の隣接局Ｓ−１では、アナログ音声放送のみを送信しているものとする。
【００３１】
移動体Ｃが上側の隣接局Ｓ−１に近づくにつれて、上側の隣接局Ｓ−１における周波数帯域内の中央部のバンドＭＢ−１のアナログ波の受信強度が強くなり、また一方で、移動体Ｃが希望局Ｓ−０から遠ざかるにつれて（建物Ｈの影響等もある）、希望局Ｓ−０における周波数帯域内の上側のサイドバンドＳＢ−０のディジタル波の受信電界強度が弱くなっていく。それゆえに、希望局Ｓ−０の上側のサイドバンドＳＢ−０のディジタル波を受信する際に、上側の隣接局Ｓ−１のバンドＭＢ−１のアナログ波が一緒に受信され、希望局Ｓ−０のディジタル波の受信を妨害するようになる。この上側の隣接局Ｓ−１の妨害によって、希望局Ｓ−０と上側の隣接局Ｓ−１との間で混信が発生し、希望局Ｓ−０のディジタル音声放送のディジタル波を受信することが不可能になるという問題が生じてくる。
【００３２】
さらに、上側の隣接局Ｓ−１のアナログ波は、希望局Ｓ−０の上側のサイドバンドＳＢ−０の周波数帯域部分にノイズとして入り込むので、ＩＦ  ＡＧＣ４００（図８参照）によりＩＦ増幅器３００（図８参照）の利得が自動的に低くなるように調整される。この結果、希望局Ｓ−０のバンドＭＢ−１のアナログ波の受信強度が弱くなり、希望局Ｓ−０のアナログ音声放送のアナログ波も受信することが難しくなる。その上、上側の隣接局Ｓ−１のバンドＭＢ−１のアナログ波と希望局Ｓ−０のバンドＭＢ−０のアナログ波との間で相互変調が発生し、希望局Ｓ−０のアナログ音声放送のアナログ波も受信することが不可能になるという問題も生じてくる。
【００３３】
また一方で、図１１および図１２の（ｂ）に示すように、希望局Ｓ−０のチャネルの周波数帯域内（チャネルの中心周波数ｆｄ）で送信されるＩＢＯＣ方式のアナログ音声放送およびディジタル音声放送を移動体Ｃ内で受信している最中に、希望局Ｓ−０の周波数帯域内の下側のサイドバンド（チャネルの中心周波数ｆｄ−２００ｋＨｚ）に隣接する隣接局（すなわち、下側の隣接局）Ｓ−２に近づいている場合を想定する（状況（２））。ここで、下側の隣接局Ｓ−２では、ＩＢＯＣ方式のアナログ音声放送およびディジタル音声放送を送信しているものとする。
【００３４】
移動体Ｃが下側の隣接局Ｓ−２に近づくにつれて、下側の隣接局Ｓ−２における周波数帯域内の上側のサイドバンドＳＢ−２のディジタル波の受信強度が強くなり、また一方で、希望局Ｓ−０における周波数帯域内の下側のサイドバンドＳＢ−０のディジタル波の受信電界強度が弱くなっていく。それゆえに、希望局Ｓ−０の下側のサイドバンドＳＢ−０のディジタル波を受信する際に、下側の隣接局Ｓ−２の上側のサイドバンドＳＢ−２のディジタル波が一緒に受信され、希望局Ｓ−０のディジタル波の受信を妨害するようになる。この下側の隣接局Ｓ−２の妨害によって、希望局Ｓ−０と下側の隣接局Ｓ−２との間で混信が発生し、希望局Ｓ−０のディジタル音声放送のディジタル波を受信することが不可能になるという問題が生じてくる。
【００３５】
さらに、下側の隣接局Ｓ−２の妨害によって、下側の隣接局Ｓ−２のバンドＭＢ−２のアナログ波と希望局Ｓ−０のバンドＭＢ−０のアナログ波との間で相互変調が発生し、希望局Ｓ−０のアナログ音声放送のアナログ波も受信することが不可能になるという問題も生じてくる。
【００３６】
上記のとおり、従来のＩＢＯＣ方式による音声放送受信装置では、隣接局でアナログ音声放送のみを送信している場合であっても、ＩＢＯＣ方式のアナログ音声放送およびディジタル音声放送を同時に送信している場合であっても、希望局と隣接局との間で混信や相互変調が発生して希望局のＩＢＯＣ方式のアナログ音声放送およびディジタル音声放送を安定に受信することが不可能になるという問題が生じる。
【００３７】
ここで、参考のため、ＩＦ帯域フィルタを備えた音声放送受信装置に関連した技術内容が記載された３つの特許文献（特許文献１〜３）を呈示する。
【００３８】
特許文献１（実開平５−１８１３５号公報）では、ＰＬＬ検波回路のロックレンジを帯域制限回路でＩＦ帯域幅より狭くなるように制限し、ＩＦ帯域で除去できない隣接妨害信号を除去するようにしたＦＭ受信機の構成が開示されている。特許文献２（特開平５−１９９１３４号公報）では、ＩＦ帯域増幅部の切り替えにより隣接妨害によるノイズを除去するようにしたＦＭ受信機の構成が開示されている。特許文献３（特開平７−１９３５１８号公報）では、広帯域ＩＦフィルタと狭帯域ＩＦフィルタの割合を変えて加算した出力信号を中間周波信号として使用するようなＡＭ受信機の構成が開示されている。
【００３９】
ただし、特許文献１〜３のいずれにおいても、ＩＢＯＣ方式による音声放送受信装置の構成に関しては一切言及しておらず、本発明とは目的および構成が異なっている。さらに、特許文献３では、後述の本発明の音声放送受信装置のように、２種類の広帯域ＩＦフィルタおよび狭帯域ＩＦフィルタをそれぞれ独立して動作させるような構成にはなっていない。
【００４０】
【特許文献１】実開平５−１８１３５号公報
【特許文献２】特開平５−１９９１３４号公報
【特許文献３】特開平７−１９３５１８号公報
【発明の開示】
【発明が解決しようとする課題】
【００４１】
本発明は上記問題点に鑑みてなされたものであり、ユーザが希望する放送局と当該放送局に隣接する放送局との間で混信や相互変調が発生するのを抑止することによって、ユーザが希望する放送局の例えばＩＢＯＣ方式のアナログ音声放送およびディジタル音声放送を安定に受信することが可能な音声放送受信装置および受信方法を提供することを目的とするものである。
【課題を解決するための手段】
【００４２】
上記問題点を解決するために、本発明の音声放送受信装置（本発明の第１の実施態様に係る音声放送受信装置）は、アナログ音声放送の特定の周波数帯域内の電波、および、上記特定の周波数帯域内で並行して送信されるディジタル音声放送の電波を同時に受信するチューナ部と、このチューナ部にて受信された受信信号（例えば、中間周波信号）を復調処理して目的とする音声情報を取り出すための復調部とを有しており、上記アナログ音声放送の電波に対応する受信信号を選択的に通過させるアナログ受信信号用の帯域フィルタと、上記アナログ受信信号用の帯域フィルタを通過した受信信号を増幅して上記復調部に入力するアナログ受信信号用の増幅器と、上記ディジタル音声放送の電波に対応する受信信号を選択的に通過させるディジタル受信信号用の帯域フィルタと、上記ディジタル受信信号用の帯域フィルタを通過した受信信号を増幅して上記復調部に入力するディジタル受信信号用の増幅器とをそれぞれ別々に設け、上記アナログ受信信号用の増幅器の出力信号のレベルに応じて、上記アナログ受信信号用の増幅器の利得を自動的に制御する機能と、上記ディジタル受信信号用の増幅器の出力信号のレベルに応じて、上記ディジタル受信信号用の増幅器の利得を自動的に制御する機能とをそれぞれ独立して持たせる。
【００４３】
好ましくは、本発明の第１の実施態様に係る音声放送受信装置において、上記ディジタル受信信号用の増幅器の利得を制御する際に使用される当該増幅器の出力信号の基準レベルが、上記アナログ受信信号用の増幅器の利得を制御する際に使用される当該増幅器の出力信号の基準レベルよりも低い値に設定される。
【００４４】
さらに、好ましくは、本発明の第１の実施態様に係る音声放送受信装置において、上記ディジタル音声放送の電波が実際に送信されていない場合は、上記ディジタル受信信号用の増幅器の利得を制御する際に使用される当該増幅器の出力信号の基準レベルは、上記ディジタル音声放送の電波が送信されている場合よりもさらに低い値に設定される。
【００４５】
さらに、好ましくは、本発明の第１の実施態様に係る音声放送受信装置において、上記アナログ受信信号用の増幅器の出力信号と、上記ディジタル受信信号用の増幅器の出力信号とを加算する加算部を設け、この加算部による加算結果を上記復調部に供給するようにしている。
【００４６】
また一方で、本発明の音声放送受信装置（本発明の第２の実施態様に係る音声放送受信装置）は、アナログ音声放送の特定の周波数帯域内の電波、および、上記特定の周波数帯域内の下側の帯域と上側の帯域で並行して送信されるディジタル音声放送の電波を同時に受信するチューナ部と、このチューナ部にて受信された受信信号を復調処理して目的とする音声情報を取り出すための復調部とを有しており、上記アナログ音声放送の電波に対応する受信信号を選択的に通過させるアナログ受信信号用の帯域フィルタと、上記アナログ受信信号用の帯域フィルタを通過した受信信号を増幅して上記復調部に入力するアナログ受信信号用の増幅器と、上記ディジタル音声放送の上記下側の帯域の電波に対応する受信信号を選択的に通過させる第１のディジタル受信信号用の帯域フィルタと、上記第１のディジタル受信信号用の帯域フィルタを通過した受信信号を増幅して上記復調部に入力する第１のディジタル受信信号用の増幅器と、上記ディジタル音声放送の上記上側の帯域の電波に対応する受信信号を選択的に通過させる第２のディジタル受信信号用の帯域フィルタと、上記第２のディジタル受信信号用の帯域フィルタを通過した受信信号を増幅して上記復調部に入力する第２のディジタル受信信号用の増幅器とをそれぞれ別々に設け、上記アナログ受信信号用の増幅器の出力信号のレベルに応じて、上記アナログ受信信号用の増幅器の利得を自動的に制御する機能と、上記第１のディジタル受信信号用の増幅器の出力信号のレベルに応じて、上記第１のディジタル受信信号用の増幅器の利得を自動的に制御する機能と、上記第２のディジタル受信信号用の増幅器の出力信号のレベルに応じて、上記第２のディジタル受信信号用の増幅器の利得を自動的に制御する機能とをそれぞれ独立して持たせる。
【００４７】
好ましくは、本発明の第２の実施態様に係る音声放送受信装置において、上記第１のディジタル受信信号用の増幅器の利得を制御する際に使用される当該増幅器の出力信号の基準レベル、および、上記第２のディジタル受信信号用の増幅器の利得を制御する際に使用される当該増幅器の出力信号の基準レベルの各々が、上記アナログ受信信号用の増幅器の利得を制御する際に使用される当該増幅器の出力信号の基準レベルよりも低い値に設定される。
【００４８】
さらに、好ましくは、本発明の第２の実施態様に係る音声放送受信装置において、上記ディジタル音声放送の電波が実際に送信されていない場合は、上記第１のディジタル受信信号用の増幅器の利得を制御する際に使用される当該増幅器の出力信号の基準レベル、および、上記第２のディジタル受信信号用の増幅器の利得を制御する際に使用される当該増幅器の出力信号の基準レベルの各々は、上記ディジタル音声放送の電波が送信されている場合よりもさらに低い値に設定される。
【００４９】
さらに、好ましくは、本発明の第２の実施態様に係る音声放送受信装置において、上記アナログ受信信号用の増幅器の出力信号と、上記第１のディジタル受信信号用の増幅器の出力信号と、上記第２のディジタル受信信号用の増幅器の出力信号とを加算する加算部を設け、この加算部による加算結果を上記復調部に供給するようにしている。
【００５０】
また一方で、本発明の音声放送受信方法は、アナログ音声放送の特定の周波数帯域内の電波、および、上記特定の周波数帯域内で並行して送信されるディジタル音声放送の電波をチューナ部により同時に受信し、このチューナ部にて受信された受信信号を復調部により復調処理して目的とする音声情報を取り出す場合に、アナログ受信信号用の帯域フィルタにより、上記アナログ音声放送の電波に対応する受信信号を選択的に通過させ、さらに、アナログ受信信号用の増幅器により、上記アナログ受信信号用の帯域フィルタを通過した受信信号を増幅して上記復調部に入力し、ディジタル受信信号用の帯域フィルタにより、上記ディジタル音声放送の電波に対応する受信信号を選択的に通過させ、さらに、ディジタル受信信号用の増幅器により、上記ディジタル受信信号用の帯域フィルタを通過した受信信号を増幅して上記復調部に入力し、上記アナログ受信信号用の増幅器の出力信号のレベルに応じて、上記アナログ受信信号用の増幅器の利得を自動的に制御する動作と、上記ディジタル受信信号用の増幅器の出力信号のレベルに応じて、上記ディジタル受信信号用の増幅器の利得を自動的に制御する動作とをそれぞれ独立して実行する。
【００５１】
代替的に、本発明の音声放送受信方法は、アナログ音声放送の特定の周波数帯域内の電波、および、上記特定の周波数帯域内で並行して送信されるディジタル音声放送の電波をチューナ部により同時に受信し、このチューナ部にて受信された受信信号を復調部により復調処理して目的とする音声情報を取り出す場合に、アナログ受信信号用の帯域フィルタにより、上記アナログ音声放送の電波に対応する受信信号を選択的に通過させ、さらに、アナログ受信信号用の増幅器により、上記アナログ受信信号用の帯域フィルタを通過した受信信号を増幅して上記復調部に入力し、第１のディジタル受信信号用の帯域フィルタにより、上記ディジタル音声放送の上記下側の帯域の電波に対応する受信信号を選択的に通過させ、さらに、第１のディジタル受信信号用の増幅器により、上記第１のディジタル受信信号用の帯域フィルタを通過した受信信号を増幅して上記復調部に入力し、第２のディジタル受信信号用の帯域フィルタにより、上記ディジタル音声放送の上記上側の帯域の電波に対応する受信信号を選択的に通過させ、さらに、第２のディジタル受信信号用の増幅器により、上記第２のディジタル受信信号用の帯域フィルタを通過した受信信号を増幅して上記復調部に入力し、上記アナログ受信信号用の増幅器の出力信号のレベルに応じて、上記アナログ受信信号用の増幅器の利得を自動的に制御する動作と、上記第１のディジタル受信信号用の増幅器の出力信号のレベルに応じて、上記第１のディジタル受信信号用の増幅器の利得を自動的に制御する動作と、上記第２のディジタル受信信号用の増幅器の出力信号のレベルに応じて、上記第２のディジタル受信信号用の増幅器の利得を自動的に制御する動作とをそれぞれ独立して実行する。
【発明の効果】
【００５２】
要約すれば、本発明では、アナログ受信信号（例えば、アナログ中間周波信号）専用の帯域フィルタと、アナログ受信信号専用の増幅器と、ディジタル受信信号（例えば、ディジタル中間周波信号）専用の帯域フィルタと、ディジタル受信信号専用の増幅器とをそれぞれ別々に設けることによって、アナログ受信信号専用の増幅器の利得を自動的に制御する動作と、ディジタル受信信号専用の増幅器の利得を自動的に制御する動作とをそれぞれ独立して実行することができるようになる。これによって、ユーザが希望する放送局と当該放送局に隣接する放送局との間で混信や相互変調が発生しなくなり、ユーザが希望する放送局のアナログ音声放送およびディジタル音声放送の受信特性が大幅に改善される。
【００５３】
また一方で、本発明では、アナログ受信信号専用の帯域フィルタおよび増幅器と、ディジタル音声放送の下側の帯域の受信信号に使用される第１のディジタル受信信号専用の帯域フィルタおよび増幅器と、ディジタル音声放送の上側の帯域の受信信号に使用される第２のディジタル受信信号専用の帯域フィルタおよび増幅器とをそれぞれ別々に設けることによって、アナログ受信信号専用の増幅器の利得を自動的に制御する動作と、第１のディジタル受信信号専用の増幅器の利得を自動的に制御する動作と、第２のディジタル受信信号専用の増幅器の利得を自動的に制御する動作とをそれぞれ独立して実行することが可能になる。これによって、ユーザが希望する放送局のアナログ音声放送およびディジタル音声放送の受信特性がさらに改善される。
【００５４】
さらに、本発明では、例えばＩＢＯＣ方式による音声放送受信装置の中で、アナログ受信信号専用の帯域フィルタおよび増幅器やディジタル受信信号専用の帯域フィルタおよび増幅器等のほんの一部の構成要素をそれぞれ別々に設けるようにしているのみなので、アナログ受信信号専用の音声放送受信装置とアナログ受信信号専用の音声放送受信装置とを互いに独立して構成した場合よりも装置構成が簡単になる。
【発明を実施するための最良の形態】
【００５５】
以下、添付図面（図１〜図６）を参照しながら、本発明の好ましい実施の形態を説明する。
【００５６】
図１は、本発明の第１の実施例の構成を示すブロック図である。ただし、ここでは、本発明の第１の実施例に係るＩＢＯＣ方式の音声放送受信装置１０の構成を簡略化して示す。このＩＢＯＣ方式の音声放送受信装置により受信されるアナログ音声放送の代表例として、ＦＭラジオ放送（搬送周波数８８〜１０８ＭＨｚ）およびＡＭラジオ放送（搬送周波数５３０〜１７００ｋＨｚ）が挙げられ、ディジタル音声放送の代表例として、地上波ディジタル放送が挙げられる。なお、これ以降、前述した構成要素と同様のものについては、同一の参照番号を付して表すこととする。
【００５７】
図１に示す音声放送受信装置は、ＩＢＯＣ方式を使用して送信されたアナログ音声放送のアナログ変調波およびディジタル音声放送のディジタル変調波を同時に受信するチューナ部１と、このチューナ部１にて受信された受信信号Ｓｒを復調処理して目的とする音声情報を取り出すための復調部５５とを備えている。
【００５８】
さらに詳しく説明すると、図１の音声放送受信装置において、チューナ部１は、アンテナＡＴを通して受信されたＦＭラジオ放送の複数のチャネルの中から、特定のチャネルの周波数帯域内のアナログ変調波およびディジタル変調波を選択的に取り出すチャネル選局処理部と、当該チャネルの周波数帯域内のアナログ変調波およびディジタル変調波（高周波信号）を中間周波信号に変換するための高周波信号／中間周波信号変換部とを含む。この中間周波信号の中間周波数の値は、例えば１０．７ＭＨｚに設定される。上記のチューナ部１は、前述の従来の音声放送受信装置（図８参照）のチューナ部１００にほぼ対応するものである。
【００５９】
さらに、図１の音声放送受信装置は、チューナ部１から取り出されたアナログ変調波を含むアナログ中間周波信号を選択的に通過させるアナログ中間周波信号用の帯域フィルタ（以下、アナログＩＦ帯域フィルタと略記する）２ａと、このアナログＩＦ帯域フィルタ２ａを通過したアナログ中間周波信号Ｓｆａを増幅するアナログ中間周波信号用の増幅器（以下、アナログＩＦ増幅器と略記する）３ａとを備えている。
【００６０】
さらに、図１の音声放送受信装置は、チューナ部１から取り出されたディジタル変調波を含むディジタル中間周波信号を選択的に通過させるディジタル中間周波信号用の帯域フィルタ（以下、ディジタルＩＦ帯域フィルタと略記する）２ｄと、このディジタルＩＦ帯域フィルタ２ｄを通過したディジタル中間周波信号Ｓｆｄを増幅するディジタル中間周波信号用の増幅器（以下、ディジタルＩＦ増幅器と略記する）３ｄとを備えている。
【００６１】
上記のアナログＩＦ帯域フィルタ２ａ、アナログＩＦ増幅器３ａ、ディジタルＩＦ帯域フィルタ２ｄ、およびディジタルＩＦ増幅器３ｄは、それぞれ別々に設けられる。
【００６２】
さらに、図１の音声放送受信装置においては、アナログＩＦ増幅器３ａの出力信号Ｓｇａのレベルに応じて、アナログＩＦ増幅器３ａの利得を自動的に制御するアナログ中間周波自動利得制御部（以下、アナログＩＦ  ＡＧＣと略記する）４ａと、ディジタルＩＦ増幅器３ｄの出力信号Ｓｇｄのレベルに応じて、ディジタルＩＦ増幅器３ｄの利得を自動的に制御するディジタル中間周波自動利得制御部（以下、ディジタルＩＦ  ＡＧＣと略記する）４ｄとが、それぞれ別々に設けられている。さらに、アナログＩＦ増幅器３ａの出力信号Ｓｇａと、ディジタルＩＦ増幅器３ｄの出力信号Ｓｇｄとを加算する加算部４０を設けている。この加算部４０による加算結果Ｓｓが、復調部５５に供給される。
【００６３】
図１の音声放送受信装置では、チューナ部１から取り出された受信信号Ｓｒ（中間周波信号）中のアナログ中間周波信号は、アナログＩＦ帯域フィルタ２ａを通過させることによって、特定のチャネルの約２００ｋＨｚの周波数帯域内に存在するアナログ変調波を含むアナログ中間周波信号Ｓｆａとして選択的に取り出される。さらに、このアナログＩＦ帯域フィルタ２ａから取り出されたアナログ中間周波信号Ｓｆａは、アナログＩＦ増幅器３ａによって所定のレベルになるように増幅される。
【００６４】
アナログＩＦ増幅器３ａから出力される出力信号Ｓｇａは、アナログＩＦ  ＡＧＣ４ａに入力され、アナログＩＦ増幅器３ａにフィードバックされる。このアナログＩＦ  ＡＧＣ４ａにより、出力信号Ｓｇａのレベルに応じて、アナログＩＦ増幅器３ａの利得を自動的に調整することが可能になる。
【００６５】
また一方で、図１の音声放送受信装置では、チューナ部１から取り出された受信信号Ｓｒ中のディジタル中間周波信号は、ディジタルＩＦ帯域フィルタ２ｄを通過させることによって、特定のチャネルの周波数帯域内のサイドバンド（４００ＫＨｚより狭い）に存在するディジタル変調波を含むディジタル中間周波信号Ｓｆｄとして選択的に取り出される。さらに、このディジタルＩＦ帯域フィルタ２ｄから取り出されたディジタル中間周波信号Ｓｆｄは、ディジタルＩＦ増幅器３ｄによって所定のレベルになるように増幅される。
【００６６】
ディジタルＩＦ増幅器３ｄから出力される出力信号Ｓｇｄは、ディジタルＩＦ  ＡＧＣ４ｄに入力され、ディジタルＩＦ増幅器３ｄにフィードバックされる。このディジタルＩＦ  ＡＧＣ４ｄにより、出力信号Ｓｇｄのレベルに応じて、ディジタルＩＦ増幅器３ｄの利得を自動的に調整することが可能になる。
【００６７】
上記のとおり、図１の音声放送受信装置においては、アナログ中間周波信号を処理するためのアナログＩＦ帯域フィルタ２ａ、アナログＩＦ増幅器３ａおよびアナログＩＦ  ＡＧＣ４ａと、ディジタル信号を処理するためのディジタルＩＦ帯域フィルタ２ｄ、ディジタルＩＦ増幅器３ｄおよびディジタルＩＦ  ＡＧＣ４ｄとをそれぞれ別々に設けることによって、アナログＩＦ増幅器３ａの利得を制御する動作と、ディジタルＩＦ増幅器３ｄの利得を制御する動作とを互いに独立して実行することができる。さらに、アナログＩＦ帯域フィルタ２ａは、アナログ中間周波信号のみを選択的に通過させればよいし、ディジタルＩＦ帯域フィルタ２ｄは、ディジタル中間周波信号のみを選択的に通過させればよいので、アナログＩＦ帯域フィルタおよびディジタルＩＦ帯域フィルタの各々の帯域幅を従来の音声放送受信装置の場合よりも狭くすることができる。
【００６８】
これによって、隣接局のアナログ変調波およびディジタル変調波が、希望局のチャネルの周波数帯域内にノイズとして入り込むおそれが少なくなる。ここで、隣接局の妨害による影響を受けてディジタル中間周波信号が受信できなくなる場合もあるが、その場合でも、アナログＩＦ帯域フィルタ２ａを選択的に通過したアナログ中間周波信号は隣接局の妨害の影響を受けないので、このアナログ中間周波信号を受信することができる。
【００６９】
それゆえに、図１の音声放送受信装置では、希望局と隣接局との間で混信や相互変調が発生するのを抑止することができるようになり、ユーザが希望する放送局のアナログ音声放送およびディジタル音声放送の受信特性が大幅に改善される。
【００７０】
ＩＢＯＣ方式においては、図７の模式図で説明したように、ディジタル音声放送のディジタル変調波は、アナログ音声放送のアナログ変調波よりも小さい電力で送信される。アナログ音声放送のアナログ変調波とディジタル音声放送のディジタル変調波を受信して復調処理する場合、送信時のアナログ変調波およびアナログ変調波の電力レベルの関係を再現することが要求される。したがって、ディジタルＩＦ増幅器３ｄの利得は、アナログＩＦ増幅器３ａの利得よりも低い値に設定しなければならない。
【００７１】
この観点より、ディジタルＩＦ増幅器３ｄの利得を制御する際に使用される当該ディジタルＩＦ増幅器の出力信号Ｓｇｄの基準レベルＶｂは、アナログＩＦ増幅器３ａの利得を制御する際に使用される当該アナログＩＦ増幅器の出力信号Ｓｇａの基準レベルＶａよりも低い値に設定することが望ましい。
【００７２】
さらに、希望局からディジタル音声放送のディジタル変調波が実際に送信されておらず、アナログ音声放送のアナログ変調波のみが送信されている場合、送信時のディジタル変調波の電力レベルは０になる。この場合には、ディジタルＩＦ増幅器３ｄの出力信号Ｓｇｄの基準レベルＶｂを、アナログＩＦ増幅器３ａの出力信号Ｓｇａの基準レベルＶａよりもはるかに低い値（すなわち、ディジタル音声放送のディジタル変調波が送信されている場合よりも低い値）に設定することが望ましい。
【００７３】
さらに、図１の音声放送受信装置において、復調部５５は、加算器４０から出力される加算結果Ｓｓに相当する信号をディジタル形式の中間周波信号Ｓｄｉに一旦変換する中間周波信号用アナログ／ディジタル変換部（以下、ＩＦ  Ａ／Ｄと略記する）４５と、このディジタル形式の中間周波信号Ｓｄｉの復調処理を行ってアナログ音声信号Ｓａａを取り出すアナログ中間周波信号処理部（以下、アナログＩＦ信号処理部と略記する）５と、加算器４０から出力される信号に含まれるディジタル中間周波信号を復調処理し、サンプリング速度変換部６６を介してディジタル音声信号Ｓｄａを取り出すディジタル中間周波信号処理部（以下、ディジタルＩＦ信号処理部と略記する）６とを備えている。このディジタルＩＦ信号処理部６はまた、チューナ部１にて選択されたチャネルを解読し、チャネルデコード信号Ｓｃｈとして音声信号混合部７に送出する。
【００７４】
上記のＩＦ  Ａ／Ｄ４５、アナログＩＦ信号処理部５、ディジタルＩＦ信号処理部６、およびサンプリング速度変換部６６は、それぞれ、前述の従来の音声放送受信装置（図８参照）のＩＦ  Ａ／Ｄ３５０、アナログＩＦ信号処理部５００、ディジタルＩＦ信号処理部６００、およびサンプリング速度変換部６６０にほぼ対応するものである。
【００７５】
ここで、加算結果Ｓｓに相当する信号に含まれるディジタル中間周波信号は、ＩＦ  Ａ／Ｄ４５およびアナログＩＦ信号処理部５をそのまま通過し、Ｉ軸方向およびＱ軸方向にデータが配置されたＯＦＤＭ方式の直交変調信号としてディジタルＩＦ信号処理部６に入力される点に注意すべきである。
【００７６】
さらに、図１の音声放送受信装置において、復調部５５は、アナログＩＦ信号処理部５から取り出されたアナログ音声信号ＳａａとディジタルＩＦ信号処理部６から取り出されたディジタル音声信号Ｓｄａとをブレンド操作により混合する音声信号混合部７と、この音声信号混合部７にて混合された混合音声信号Ｓｂに対し、ディジタルフィルタ等によるフィルタ処理を施して目的とする音声を含む音声情報Ｓｄｐを生成する音声信号処理部８とを備えている。ここで、音声信号混合部７および音声信号処理部８は、好ましくは、ディジタル信号処理用のＤＳＰ（ディジタル信号プロセッサ）により構成される。上記の音声信号混合部７および音声信号処理部８は、それぞれ、前述の従来の音声放送受信装置（図８参照）の音声信号混合部７００および音声信号処理部８００にほぼ対応するものである。
【００７７】
ここで、ディジタルＩＦ信号処理部６では、約１ＭＨｚのサンプリング速度（サンプリング周波数）で直交変調信号の復調処理が行われる。これに対し、アナログＩＦ信号処理部５では、約４４ｋＨｚのサンプリング速度で中間周波信号の復調処理が行われる。それゆえに、音声信号混合部７によりブレンド操作を行う前に、ディジタルＩＦ信号処理部６から取り出された復調処理信号Ｓｐａのサンプリング速度を、アナログＩＦ信号処理部５から取り出されたアナログ音声信号Ｓａａのサンプリング速度に合せる必要がある。このために、ディジタルＩＦ信号処理部６から取り出された復調処理信号Ｓｐａは、サンプリング速度変換部６６によりダウンサンプリング処理が施された後に、アナログ音声信号Ｓａａと同程度のサンプリング速度を有するディジタル音声信号Ｓｄａとして音声信号混合部７に入力される。
【００７８】
さらに、図１の音声放送受信装置において、音声信号処理部８から取り出されたディジタル形式の音声情報Ｓｄｐは、ディジタル／アナログ変換部（図８では、Ａ／Ｄと略記して示す）８２によりアナログ形式の音声情報Ａｄに変換される。ディジタル／アナログ変換部８２から取り出されたアナログ形式の音声情報Ａｄは、最終的にスピーカ等の音声出力部８４に入力され、希望局のアナログ音声放送およびディジタル音声放送の音声がスピーカ８４から出力される。
【００７９】
さらに、図１の音声放送受信装置においては、各種の制御信号Ｓｃｏに基づいて、音声放送受信装置１０内の各構成要素の一連の動作を制御する制御部９が設けられている。この制御部９は、好ましくは、ＣＰＵ（中央演算処理装置）により実現される。
【００８０】
このＣＰＵ９による制御動作に基づいて、アナログＩＦ帯域フィルタによりアナログ中間周波信号を選択的に通過させ、さらに、アナログＩＦ増幅器により、アナログＩＦ帯域フィルタを通過したアナログ中間周波信号を増幅して復調部に入力し、また一方で、ディジタルＩＦ帯域フィルタによりディジタル中間周波信号を選択的に通過させ、さらに、ディジタルＩＦ増幅器により、ディジタルＩＦ帯域フィルタを通過したディジタル中間周波信号を増幅して復調部に入力し、アナログＩＦ増幅器の出力信号のレベルに応じて、アナログＩＦ増幅器の利得を自動的に制御する動作と、ディジタルＩＦ増幅器の出力信号のレベルに応じて、ディジタルＩＦ増幅器の利得を自動的に制御する動作とをそれぞれ独立して実行するような、本発明の第１の実施例に係る音声放送受信方法が遂行される。
【００８１】
図１の実施例に係る音声放送受信装置では、ＩＢＯＣ方式による音声放送受信装置の中で、アナログ中間周波信号を処理するためのＩＦ帯域フィルタおよびＩＦ増幅器やディジタル中間周波信号を処理するためのＩＦ帯域フィルタおよびＩＦ増幅器等のほんの一部の構成要素をそれぞれ別々に設けるようにしているので、アナログ変調波受信用の音声放送受信装置とディジタル変調波受信用の音声放送受信装置とを互いに独立して構成した場合よりも装置構成が簡単になる。
【００８２】
図２は、本発明の第２の実施例の構成を示すブロック図である。ただし、ここでも、本発明の第２の実施例に係るＩＢＯＣ方式の音声放送受信装置１１の構成を簡略化して示す。
【００８３】
図２に示す音声放送受信装置は、ＩＢＯＣ方式を使用して送信されたアナログ音声放送のアナログ変調波、ディジタル音声放送の下側の帯域のディジタル変調波、および当該ディジタル音声放送の上側の帯域のディジタル変調波を同時に受信するチューナ部１と、このチューナ部１にて受信された受信信号Ｓｒを復調処理して目的とする音声情報を取り出すための復調部５５とを備えている。このチューナ部１の構成と復調部５５の各構成要素の構成は、前述の図１の実施例の場合と同じなので、ここでは再度の説明を省略する。
【００８４】
さらに、図２に示す音声放送受信装置は、前述の図１の実施例の場合と同様に、チューナ部１から取り出されたアナログ変調波を含むアナログ中間周波信号を選択的に通過させるアナログＩＦ帯域フィルタ２ａと、このアナログＩＦ帯域フィルタ２ａを通過したアナログ中間周波信号Ｓｆａを増幅するアナログＩＦ増幅器３ａとを備えている。
【００８５】
さらに、図１の音声放送受信装置は、チューナ部１から取り出された下側の帯域のディジタル変調波を含む第１のディジタル中間周波信号を選択的に通過させる第１のディジタル中間周波信号用の帯域フィルタ（以下、第１のディジタルＩＦ帯域フィルタと略記する）２ｄ−１と、この第１のディジタルＩＦ帯域フィルタ２ｄ−１を通過した第１のディジタル中間周波信号Ｓｆｄ−１を増幅する第１のディジタル中間周波信号用の増幅器（以下、第１のディジタルＩＦ増幅器と略記する）３ｄ−１とを備えている。
【００８６】
さらに、図２の音声放送受信装置は、チューナ部１から取り出された上側の帯域のディジタル変調波を含む第２のディジタル中間周波信号を選択的に通過させる第２のディジタル中間周波信号用の帯域フィルタ（以下、第２のディジタルＩＦ帯域フィルタと略記する）２ｄ−２と、この第２のディジタルＩＦ帯域フィルタ２ｄ−２を通過した第２のディジタル中間周波信号Ｓｆｄ−２を増幅する第２のディジタル中間周波信号用の増幅器（以下、第２のディジタルＩＦ増幅器と略記する）３ｄ−２とを備えている。
【００８７】
上記のアナログＩＦ帯域フィルタ２ａ、アナログＩＦ増幅器３ａ、第１のディジタルＩＦ帯域フィルタ２ｄ−１、第１のディジタルＩＦ増幅器３ｄ−１、第２のディジタルＩＦ帯域フィルタ２ｄ−２、および第２のディジタルＩＦ増幅器３ｄ−２は、それぞれ別々に設けられる。
【００８８】
さらに、図２の音声放送受信装置においては、前述の図１の実施例の場合と同様に、アナログＩＦ増幅器３ａの出力信号Ｓｇａのレベルに応じて、アナログＩＦ増幅器３ａの利得を自動的に制御するアナログＩＦ  ＡＧＣ４ａを備えている。
【００８９】
さらに、図２の音声放送受信装置においては、第１のディジタルＩＦ増幅器３ｄ−１の第１のディジタル出力信号Ｓｇｄ−１のレベルに応じて、第１のディジタルＩＦ増幅器３ｄ−１の利得を自動的に制御する第１のディジタル中間周波自動利得制御部（以下、第１のディジタルＩＦ  ＡＧＣと略記する）４ｄ−１とを備えている。
【００９０】
さらに、図２の音声放送受信装置においては、第２のディジタルＩＦ増幅器３ｄ−２の第２のディジタル出力信号Ｓｇｄ−２のレベルに応じて、第２のディジタルＩＦ増幅器３ｄ−２の利得を自動的に制御する第２のディジタル中間周波自動利得制御部（以下、第２のディジタルＩＦ  ＡＧＣと略記する）４ｄ−２とを備えている。
【００９１】
上記のアナログＩＦ  ＡＧＣ４ａ、第１のディジタルＩＦ  ＡＧＣ４ｄ−１、および第２のディジタルＩＦ  ＡＧＣ４ｄ−２は、それぞれ別々に設けられる。さらに、アナログＩＦ増幅器３ａの出力信号Ｓｇａと、第１のディジタルＩＦ増幅器３ｄ−１の第１のディジタル出力信号Ｓｇｄ−１と、第２のディジタルＩＦ増幅器３ｄ−２の第２のディジタル出力信号Ｓｇｄ−２とを加算する加算部４０を設けている。この加算部４０による加算結果Ｓｓが、復調部５５に供給される。
【００９２】
チューナ部１から取り出された受信信号Ｓｒ（中間周波信号）中のアナログ中間周波信号は、前述の図１の実施例の場合と同様に、アナログＩＦ帯域フィルタ２ａを通過させることによって、特定のチャネルの約２００ｋＨｚの周波数帯域内に存在するアナログ変調波を含むアナログ中間周波信号Ｓｆａとして選択的に取り出される。さらに、このアナログＩＦ帯域フィルタ２ａから取り出されたアナログ中間周波信号Ｓｆａは、アナログＩＦ増幅器３ａによって所定のレベルになるように増幅される。
【００９３】
アナログＩＦ増幅器３ａから出力される出力信号Ｓｇａは、前述の図１の実施例の場合と同様に、アナログＩＦ  ＡＧＣ４ａに入力され、アナログＩＦ増幅器３ａにフィードバックされる。このアナログＩＦ  ＡＧＣ４ａにより、出力信号Ｓｇａのレベルに応じて、アナログＩＦ増幅器３ａの利得を自動的に調整することが可能になる。
【００９４】
また一方で、図２の音声放送受信装置では、チューナ部１から取り出された受信信号Ｓｒ中の第２のディジタル中間周波信号は、第１のディジタルＩＦ帯域フィルタ２ｄ−１を通過させることによって、特定のチャネルの下側の周波数帯域内（２００ｋＨｚより狭い）に存在する帯域のディジタル変調波を含む第１のディジタル中間周波信号Ｓｆｄ−１として選択的に取り出される。さらに、この第１のディジタルＩＦ帯域フィルタ２ｄ−１から取り出された第１のディジタル中間周波信号Ｓｆｄ−１は、第１のディジタルＩＦ増幅器３ｄ−１によって所定のレベルになるように増幅される。
【００９５】
第１のディジタルＩＦ増幅器３ｄ−１から出力される第１のディジタル出力信号Ｓｇｄ−１は、第１のディジタルＩＦ  ＡＧＣ４ｄ−１に入力され、第１のディジタルＩＦ増幅器３ｄ−１にフィードバックされる。この第１のディジタルＩＦ  ＡＧＣ４ｄ−１により、第１のディジタル出力信号Ｓｇｄ−１のレベルに応じて、第１のディジタルＩＦ増幅器３ｄ−１の利得を自動的に調整することが可能になる。
【００９６】
また一方で、図２の音声放送受信装置では、チューナ部１から取り出された受信信号Ｓｒ中の第２のディジタル中間周波信号は、第２のディジタルＩＦ帯域フィルタ２ｄ−２を通過させることによって、特定のチャネルの上側の周波数帯域内（２００ｋＨｚより狭い）に存在するディジタル変調波を含む第２のディジタル中間周波信号Ｓｆｄ−２として選択的に取り出される。さらに、この第２のディジタルＩＦ帯域フィルタ２ｄ−２から取り出された第２のディジタル中間周波信号Ｓｆｄ−２は、第２のディジタルＩＦ増幅器３ｄ−２によって所定のレベルになるように増幅される。
【００９７】
第２のディジタルＩＦ増幅器３ｄ−２から出力される第２のディジタル出力信号Ｓｇｄ−２は、第２のディジタルＩＦ  ＡＧＣ４ｄ−２に入力され、第２のディジタルＩＦ増幅器３ｄ−２にフィードバックされる。この第２のディジタルＩＦ  ＡＧＣ４ｄ−２により、第２のディジタル出力信号Ｓｇｄ−２のレベルに応じて、第２のディジタルＩＦ増幅器３ｄ−２の利得を自動的に調整することが可能になる。
【００９８】
上記のとおり、図２の音声放送受信装置においては、アナログ中間周波信号を処理するためのアナログＩＦ帯域フィルタ２ａ、アナログＩＦ増幅器３ａおよびアナログＩＦ  ＡＧＣ４ａと、第１のディジタル中間周波信号を処理するための第１のディジタルＩＦ帯域フィルタ２ｄ−１、第１のディジタルＩＦ増幅器３ｄ−１および第１のディジタルＩＦ  ＡＧＣ４ａ−１と、第２のディジタル中間周波信号を処理するための第２のディジタルＩＦ帯域フィルタ２ｄ−２、第２のディジタルＩＦ増幅器３ｄ−２および第２のディジタルＩＦ  ＡＧＣ４ａ−２とをそれぞれ別々に設けることによって、アナログＩＦ増幅器３ａの利得を制御する動作と、第１のディジタルＩＦ増幅器３ｄ−１の利得を制御する動作と、第２のディジタルＩＦ増幅器３ｄ−２の利得を制御する動作を互いに独立して実行することができる。
【００９９】
ここで、アナログＩＦ帯域フィルタ２ａは、アナログ中間周波信号のみを選択的に通過させればよいので、このアナログＩＦ帯域フィルタの帯域幅を従来の音声放送受信装置の場合よりも狭くすることができる。さらに、第１のディジタルＩＦ帯域フィルタ２ｄ−１および第２のディジタルＩＦ帯域フィルタ２ｄ−２の各々は、それぞれ、下側の帯域のディジタル変調波を含むディジタル中間周波信号と上側の帯域のディジタル変調波を含むディジタル中間周波信号とを、選択的に通過させればよいので、第１および第２のディジタルＩＦ帯域フィルタの帯域幅を前述の図１の実施例の場合よりも狭くすることができる。これによって、隣接局のアナログ変調波およびディジタル変調波が、希望局のチャネルの周波数帯域内にノイズとして入り込む可能性は、前述の図１の実施例の場合よりもさらに少なくなる。
【０１００】
それゆえに、図２の音声放送受信装置では、希望局と隣接局との間で混信や相互変調が発生するのをより確実に抑止することができるようになり、ユーザが希望する放送局のアナログ音声放送およびディジタル音声放送の受信特性がさらに改善される。
【０１０１】
図１の実施例にて説明したように、ＩＢＯＣ方式においては、第１のディジタルＩＦ増幅器３ｄ−１および第２のディジタルＩＦ増幅器３ｄ−２の各々の利得は、アナログＩＦ増幅器４ａの利得よりも低い値に設定することが要求される。
【０１０２】
それゆえに、第１のディジタルＩＦ増幅器３ｄ−１の利得を制御する際に使用される当該第１のディジタルＩＦ増幅器の第１のディジタル出力信号Ｓｇｄ−１の基準レベルＶｂ、および、第２のディジタルＩＦ増幅器３ｄ−２の利得を制御する際に使用される当該第２のディジタルＩＦ増幅器の第２のディジタル出力信号Ｓｇｄ−２の基準レベルＶｃの各々は、アナログＩＦ増幅器３ａの利得を制御する際に使用される当該アナログＩＦ増幅器の出力信号Ｓｇａの基準レベルＶａよりも低い値に設定することが望ましい。
【０１０３】
さらに、希望局からディジタル音声放送のディジタル変調波が実際に送信されておらず、アナログ音声放送のアナログ変調波のみが送信されている場合、送信時のディジタル変調波の電力レベルは０になる。この場合には、第１のディジタルＩＦ増幅器３ｄ−１の第１のディジタル出力信号Ｓｇｄ−１の基準レベルＶｂ、および、第２のディジタルＩＦ増幅器３ｄ−２の第２のディジタル出力信号Ｓｇｄ−２の基準レベルＶｃの各々を、アナログＩＦ増幅器３ａの出力信号Ｓｇａの基準レベルＶａよりもはるかに低い値（すなわち、ディジタル音声放送のディジタル変調波が送信されている場合よりも低い値）に設定することが望ましい。
【０１０４】
さらに、図２の音声放送受信装置においては、各種の制御信号Ｓｃｏに基づいて、音声放送受信装置１１内の各構成要素の一連の動作を制御する制御部９が設けられている。この制御部９は、好ましくは、ＣＰＵ（中央演算処理装置）により実現される。
【０１０５】
このＣＰＵ９による制御動作に基づいて、アナログＩＦ帯域フィルタによりアナログ中間周波信号を選択的に通過させ、さらに、アナログＩＦ増幅器により、アナログＩＦ帯域フィルタを通過したアナログ中間周波信号を増幅して復調部に入力し、また一方で、第１のディジタルＩＦ帯域フィルタにより、下側の帯域のディジタル変調波を含む第１のディジタル中間周波信号を選択的に通過させ、さらに、第１のディジタルＩＦ増幅器により、第１のディジタルＩＦ帯域フィルタを通過した第１のディジタル中間周波信号を増幅して復調部に入力し、また一方で、第２のディジタルＩＦ帯域フィルタにより、上側の帯域のディジタル変調波を含む第２のディジタル中間周波信号を選択的に通過させ、さらに、第２のディジタルＩＦ増幅器により、第２のディジタルＩＦ帯域フィルタを通過した第２のディジタル中間周波信号を増幅して復調部に入力し、アナログＩＦ増幅器の出力信号のレベルに応じて、アナログＩＦ増幅器の利得を自動的に制御する動作と、第１のディジタルＩＦ増幅器の第１のディジタル出力信号のレベルに応じて、第１のディジタルＩＦ増幅器の利得を自動的に制御する動作と、第２のディジタルＩＦ増幅器の第２のディジタル出力信号のレベルに応じて、第２のディジタルＩＦ増幅器の利得を自動的に制御する動作とをそれぞれ独立して実行するような、本発明の第２の実施例に係る音声放送受信方法が遂行される。
【０１０６】
図２の実施例に係る音声放送受信装置では、ＩＢＯＣ方式による音声放送受信装置の中で、アナログ中間周波信号を処理するためのＩＦ帯域フィルタおよびＩＦ増幅器や、第１のディジタル中間周波信号を処理するためのＩＦ帯域フィルタおよびＩＦ増幅器や、第２のディジタル中間周波信号を処理するためのＩＦ帯域フィルタおよびＩＦ増幅器等のほんの一部の構成要素をそれぞれ別々に設けるようにしているので、アナログ変調波受信用の音声放送受信装置とディジタル変調波受信用の音声放送受信装置とを互いに独立して構成した場合よりも装置構成が簡単になる。
【０１０７】
図３は、図１の実施例の具体的構成を示すブロック図である。ここでは、主として、図１の実施例のチューナ部１およびディジタルＩＦ信号処理部６の具体的な構成を示す。
【０１０８】
図３に示すチューナ部１は、アンテナＡＴを通して受信された高周波信号のアナログ変調波およびディジタル変調波を選択的に増幅する高周波増幅器（以下、ＲＦ増幅器と略記する）１−１と、このＲＦ増幅器１−１から取り出されたアナログ変調波およびディジタル変調波を中間周波信号に変換するための高周波信号／中間周波信号変換器（以下、ＲＦ／ＩＦ変換器と略記する）１−２とを備えている。
【０１０９】
ここで、高周波増幅器１−１は、ＩＢＯＣ方式で送信されるＦＭラジオ放送の複数のチャネルの中から、特定のチャネルの周波数帯域内のアナログ変調波およびディジタル変調波を同調動作により選択して増幅する機能を有する。このような高周波増幅器１−１のチャネル選局動作は、ＣＰＵ等の制御部９により制御される。高周波増幅器１−１から取り出されたアナログ変調波およびディジタル変調波は、通常の復調処理による復調処理が困難な高周波信号であるため、上記復調処理が容易に行えるような周波数（例えば、中間周波数１０．７ＭＨｚ）の中間周波信号に変換する必要がある。
【０１１０】
このために、ＲＦ増幅器１−１の出力側にＲＦ／ＩＦ変換器１−２が設けられている。このＲＦ／ＩＦ変換器１−２は、ＲＦ増幅器１−１から取り出された高周波信号と局部発振器１−３から供給される基準信号とを混合して中間周波数１０．７ＭＨｚの中間周波信号を生成する機能を有する。このような中間周波信号を正確に生成するために、ＰＬＬ（phase locked loop ：位相同期ループ）回路１−４を動作させることによって、ＲＦ増幅器１−１からの高周波信号と局部発振器１−３からの基準信号との位相を同期させるようにしている。
【０１１１】
図３の音声放送受信装置は、図１の実施例で説明したように、ＲＦ／ＩＦ変換器１−２から取り出されたアナログ変調波を含むアナログ中間周波信号（受信信号Ｓｒ）を選択的に通過させるアナログＩＦ帯域フィルタ２ａと、このアナログＩＦ帯域フィルタ２ａを通過したアナログ中間周波信号Ｓｆａを増幅するアナログＩＦ増幅器３ａとを備えている。
【０１１２】
さらに、図３の音声放送受信装置は、図１の実施例で説明したように、チューナ部１から取り出されたディジタル変調波を含むディジタル中間周波信号を選択的に通過させるディジタルＩＦ帯域フィルタ２ｄと、このディジタルＩＦ帯域フィルタ２ｄを通過したディジタル中間周波信号Ｓｆｄを増幅するディジタルＩＦ増幅器３ｄとを備えている。
【０１１３】
さらに、図３の音声放送受信装置は、図１の実施例で説明したように、アナログＩＦ増幅器３ａの出力信号Ｓｇａと、ディジタルＩＦ増幅器３ｄの出力信号Ｓｇｄとを加算する加算部４０を設けている。この加算部４０による加算結果Ｓｓが、復調部５５に供給される。
【０１１４】
さらに、図３に示すディジタルＩＦ信号処理部６は、加算器４０から出力される信号に含まれるディジタル中間周波信号のダウンサンプリング処理を行うダウンサンプリング処理部６−１と、このダウンサンプリング処理部６−１から取り出されたディジタル中間周波信号をもとに、チューナ１にて選択されたチャネルを解読するチャネルデコーダ６−３と、ＰＡＣ(perceptual audio coder ）方式で圧縮された音声情報を含むディジタル中間周波信号をデコードしてディジタル音声信号を取り出すＰＡＣ圧縮音声デコーダ６−４と、ＰＡＣ圧縮音声デコーダ６−４にてデコードされたディジタル音声信号に関連したデータを一時的に記憶するＲＡＭ（random access memory：ランダムアクセスメモリ）６−５とを備えている。チャネルデコーダ６−３により解読されたチャネルの情報は、チャネルデコード信号Ｓｃｈとして音声信号混合部７に供給される。
【０１１５】
ここで、ダウンサンプリング処理部６−１は、加算器４０から出力される信号に含まれるディジタル中間周波信号のサンプリングによる復調処理を容易にするために、ディジタル中間周波信号のダウンサンプリング処理を行ってサンプリング速度を１ＭＨｚ程度まで下げる機能を有する。このダウンサンプリング処理を正確に行うために、ＰＬＬ回路６−２を動作させることによって、ディジタル中間周波信号の位相の同期をとるようにしている。
【０１１６】
これまで述べたチューナ部１およびディジタルＩＦ信号処理部６以外の各構成要素は、図１の実施例で既に説明しているので、ここでは再度の説明を省略する。
【０１１７】
図４は、図３の２つの帯域フィルタの周波数特性を示す周波数特性図である。ただし、ここでは、図３の音声放送受信装置によりＩＢＯＣ方式のＦＭラジオ放送およびディジタル音声放送を受信する際のアナログＩＦ帯域フィルタおよびディジタルＩＦ帯域フィルタの周波数特性を示す。
【０１１８】
一般に、ＩＢＯＣ方式においては、図７で説明したように、一つの周波数帯域内の中央部のバンド（アナログ波のバンド）ＭＢにおいてＦＭラジオ放送のアナログ変調波を送信すると同時に、当該周波数帯域内の下側および上側のサイドバンド（ディジタル波のサイドバンド）ＳＢにおいてディジタル音声放送のディジタル変調波を送信するようになっている。
【０１１９】
さらに、ＩＢＯＣ方式においては、図７で説明したように、ある一つのチャネルの周波数帯域幅は、約４４０ｋＨｚ（中心チャネルから±２２０ｋＨｚ）に設定されている。さらに、ＦＭラジオ放送のアナログ変調波の周波数帯域幅は、スペクトラムマスクＳＭに基づいて、中央部のバンドＭＢで約２２０ｋＨｚ（中心チャネルから約±１１０ｋＨｚ）に設定されている。また一方で、ディジタル音声放送のディジタル変調波の周波数帯域幅は、下側および上側のサイドバンドＳＢの各々で約９０ｋＨｚに設定されている。ある一つのチャネルの放送局と当該放送局に隣接するチャネルの放送局との周波数間隔は、２００ｋＨｚに設定されている。
【０１２０】
図４に示すように、アナログＩＦ帯域フィルタは、特定のチャネルの約２００ｋＨｚの周波数帯域内に存在するアナログ変調波を含むアナログ中間周波信号を通過させることによって、当該アナログ変調波を選択的に取り出す。
【０１２１】
また一方で、ディジタルＩＦ帯域フィルタは、特定のチャネルの周波数帯域内の両側のサイドバンドＳＢに存在するディジタル変調波を含むディジタル中間周波信号を通過させることによって、当該ディジタル変調波を選択的に取り出す。
【０１２２】
図３の音声放送受信装置においては、アナログ中間周波信号を通過させるアナログＩＦ帯域フィルタと、ディジタル中間周波信号を通過させるディジタルＩＦ帯域フィルタとを別々に設けている。換言すれば、アナログＩＦ帯域フィルタは、アナログ中間周波信号のみを選択的に通過させればよいし、ディジタルＩＦ帯域フィルタは、ディジタル中間周波信号のみを選択的に通過させればよいので、アナログＩＦ帯域フィルタおよびディジタルＩＦ帯域フィルタの各々の帯域幅を従来の場合（図１０参照）よりも狭くすることができる。これによって、隣接局のアナログ変調波およびディジタル変調波が、希望局のチャネルの周波数帯域内にノイズとして入り込むおそれが少なくなる。
【０１２３】
ここで、隣接局の妨害による影響を受けてディジタル中間周波信号が受信できなくなる場合もあるが、その場合でも、アナログＩＦ帯域フィルタを選択的に通過したアナログ中間周波信号は隣接局の妨害の影響を受けないので、このアナログ中間周波信号を受信することができる。
【０１２４】
図５は、図２の実施例の具体的構成を示すブロック図である。ここでは、主として、図２の実施例のチューナ部１およびディジタルＩＦ信号処理部６の具体的な構成を示す。
【０１２５】
ただし、図５のチューナ部１およびディジタルＩＦ信号処理部６の具体的な構成は、前述の図３の第１の実施例の場合と同じなので、ここでは再度の説明を省略する。
【０１２６】
図５の音声放送受信装置は、図２の実施例で説明したように、ＲＦ／ＩＦ変換器１−２から取り出されたアナログ変調波を含むアナログ中間周波信号（受信信号Ｓｒ）を選択的に通過させるアナログＩＦ帯域フィルタ２ａと、このアナログＩＦ帯域フィルタ２ａを通過したアナログ中間周波信号Ｓｆａを増幅するアナログＩＦ増幅器３ａとを備えている。
【０１２７】
さらに、図５の音声放送受信装置は、図２の実施例で説明したように、チューナ部１から取り出された下側の帯域のディジタル変調波を含む第１のディジタル中間周波信号を選択的に通過させる第１のディジタルＩＦ帯域フィルタ２ｄ−１と、この第１のディジタルＩＦ帯域フィルタ２ｄ−１を通過した第１のディジタル中間周波信号Ｓｆｄ−１を増幅する第１のディジタルＩＦ増幅器３ｄ−１とを備えている。
【０１２８】
さらに、図５の音声放送受信装置は、図２の実施例で説明したように、アナログＩＦ増幅器３ａの出力信号Ｓｇａと、第１のディジタルＩＦ増幅器３ｄ−１の第１のディジタル出力信号Ｓｇｄ−１と、第２のディジタルＩＦ増幅器３ｄ−２の第２のディジタル出力信号Ｓｇｄ−２とを加算する加算部４０を設けている。この加算部４０による加算結果Ｓｓが、復調部５５に供給される。
【０１２９】
図５の音声放送受信装置のアナログＩＦ帯域フィルタ２ａ、アナログＩＦ増幅器３ａ、アナログＩＦ  ＡＧＣ４ａ、第１のディジタルＩＦ帯域フィルタ２ｄ−１、第１のディジタルＩＦ増幅器３ｄ−１、第１のディジタルＩＦ  ＡＧＣ４ｄ−１、第２のディジタルＩＦ帯域フィルタ２ｄ−２、第２のディジタルＩＦ増幅器３ｄ−２、および第２のディジタルＩＦ  ＡＧＣ４ｄ−２以外の各構成要素は、図３の第１の実施例の場合と同じなので、その詳細な説明を省略する。
【０１３０】
図６は、図５の３つの帯域フィルタの周波数特性を示す周波数特性図である。ただし、ここでは、図５の音声放送受信装置によりＩＢＯＣ方式のＦＭラジオ放送およびディジタル音声放送を受信する際のアナログＩＦ帯域フィルタ、第１のディジタルＩＦ帯域フィルタおよび第２のディジタルＩＦ帯域フィルタの周波数特性を示す。
【０１３１】
一般に、ＩＢＯＣ方式においては、図４および図７で説明したように、一つの周波数帯域内の中央部のバンドＭＢにおいてＦＭラジオ放送のアナログ変調波を送信すると同時に、当該周波数帯域内の下側および上側のサイドバンドＳＢにおいてディジタル音声放送のディジタル変調波を送信するようになっている。
【０１３２】
図６に示すように、アナログＩＦ帯域フィルタは、特定のチャネルの約２００ｋＨｚの周波数帯域内に存在するアナログ変調波を含むアナログ中間周波信号を通過させることによって、当該アナログ変調波を選択的に取り出す。
【０１３３】
また一方で、第１のディジタルＩＦ帯域フィルタは、特定のチャネルの周波数帯域内の下側のサイドバンドＳＢに存在するディジタル変調波を含む第１のディジタル中間周波信号を通過させることによって、当該ディジタル変調波を選択的に取り出す。
【０１３４】
さらに、第２のディジタルＩＦ帯域フィルタは、特定のチャネルの周波数帯域内の上側のサイドバンドＳＢに存在するディジタル変調波を含む第２のディジタル中間周波信号を通過させることによって、当該ディジタル変調波を選択的に取り出す。
【０１３５】
図５の音声放送受信装置においては、アナログ中間周波信号を通過させるアナログＩＦ帯域フィルタと、第１のディジタル中間周波信号を通過させる第１のディジタルＩＦ帯域フィルタと、第２のディジタル中間周波信号を通過させる第２のディジタルＩＦ帯域フィルタとを別々に設けている。換言すれば、アナログＩＦ帯域フィルタは、アナログ中間周波信号のみを選択的に通過させればよいので、このアナログＩＦ帯域フィルタの帯域幅を従来の場合（図１０参照）よりも狭くすることができる。さらに、第１のディジタルＩＦ帯域フィルタ２ｄ−１および第２のディジタルＩＦ帯域フィルタ２ｄ−２の各々は、それぞれ、下側の帯域のディジタル変調波を含むディジタル中間周波信号と上側の帯域のディジタル変調波を含むディジタル中間周波信号とを、選択的に通過させればよいので、これらの第１および第２のディジタルＩＦ帯域フィルタの帯域幅を前述の図４の実施例の場合よりも狭くすることができる。これによって、隣接局のアナログ変調波およびディジタル変調波が、希望局のチャネルの周波数帯域内にノイズとして入り込む可能性は、前述の図４の実施例の場合よりもさらに少なくなる。
【０１３６】
ここで、隣接局の妨害が希望局に対して下側の周波数帯域に存在する場合と、上側の周波数帯域に存在する場合とが考えられる。しかしながら、図５および図６の音声放送受信装置では、どちらの側の周波数帯域に高いレベルで妨害が存在している場合でも、どちらかの側の周波数帯域のディジタル中間周波信号が受信可能であれば、どちらかの側のサイドバンドに存在するディジタル中間周波信号を受信することが可能である。
【産業上の利用可能性】
【０１３７】
本発明は、移動体内でＦＭラジオ放送等のアナログ音声放送を受信しながら、地上波ディジタル放送等のディジタル音声放送を同時に受信することができるようなＩＢＯＣ方式の音声放送受信機に適用することが可能である。
【図面の簡単な説明】
【０１３８】
【図１】本発明の第１の実施例の構成を示すブロック図である。
【図２】本発明の第２の実施例の構成を示すブロック図である。
【図３】図１の実施例の具体的構成を示すブロック図である。
【図４】図３の２つの帯域フィルタの周波数特性を示す周波数特性図である。
【図５】図２の実施例の具体的構成を示すブロック図である。
【図６】図５の３つの帯域フィルタの周波数特性を示す周波数特性図である。
【図７】北米の地上波ディジタル放送に使用されるＩＢＯＣ方式の概要を説明するための模式図である。
【図８】従来のＩＢＯＣ方式による音声放送受信装置の構成を示すブロック図である。
【図９】従来のＩＢＯＣ方式による音声放送受信装置の受信特性を示す受信特性図である。
【図１０】図８の帯域フィルタの周波数特性を示す周波数特性図である。
【図１１】従来技術の問題点を説明するための模式図（その１）である。
【図１２】従来技術の問題点を説明するための模式図（その２）である。
【符号の説明】
【０１３９】
１…チューナ部
１−１…ＲＦ増幅器
１−２…ＲＦ／ＩＦ変換器
１−３…局部発振器
１−４…ＰＬＬ回路
２ａ…アナログＩＦ帯域フィルタ
２ｄ…ディジタルＩＦ帯域フィルタ
２ｄ−１…第１のディジタルＩＦ帯域フィルタ
２ｄ−２…第２のディジタルＩＦ帯域フィルタ
３ａ…アナログＩＦ増幅器
３ｄ…ディジタルＩＦ増幅器
３ｄ−１…第１のディジタルＩＦ増幅器
３ｄ−２…第２のディジタルＩＦ増幅器
４ａ…アナログ中間周波自動利得制御部（アナログＩＦ  ＡＧＣ）
４ｄ…ディジタル中間周波自動利得制御部（ディジタルＩＦ  ＡＧＣ）
４ｄ−１…第１のディジタル中間周波自動利得制御部（第１のディジタルＩＦ  ＡＧＣ）
４ｄ−２…第２のディジタル中間周波自動利得制御部（第２のディジタルＩＦ  ＡＧＣ）
５…アナログＩＦ信号処理部
６…ディジタルＩＦ信号処理部
６−１…ダウンサンプリング処理部
６−２…ＰＬＬ回路
６−３…チャネルデコーダ
６−４…ＰＡＣ方式圧縮音声デコーダ
６−５…ＲＡＭ
７…音声混合部
８…音声信号処理部
９…制御部
１０…音声放送受信装置
１１…音声放送受信装置
４０…加算部
４５…ＩＦアナログ／ディジタル変換部（ＩＦ  Ａ／Ｄ）
５５…復調部
６６…サンプリング速度変換部
８２…ディジタル／アナログ変換部（Ｄ／Ａ）
８４…音声出力部
１００…チューナ部
１１０…音声放送受信装置
２００…ＩＦ帯域フィルタ
３００…ＩＦ増幅器
３５０…ＩＦアナログ／ディジタル変換部（ＩＦ  Ａ／Ｄ）
４００…中間周波自動利得制御部（ＩＦ  ＡＧＣ）
５００…アナログＩＦ信号処理部
５５０…復調部
６００…ディジタルＩＦ信号処理部
６６０…サンプリング速度変換部
７００…音声混合部
８００…音声信号処理部
８２０…ディジタル／アナログ変換部（Ｄ／Ａ）
８４０…スピーカ
９００…ＣＰＵ
【図１】
2005159535.tif 000003
【図２】
2005159535.tif 000004
【図３】
2005159535.tif 000005
【図４】
2005159535.tif 000006
【図５】
2005159535.tif 000007
【図６】
2005159535.tif 000008
【図７】
2005159535.tif 000009
【図８】
2005159535.tif 000010
【図９】
2005159535.tif 000011
【図１０】
2005159535.tif 000012
【図１１】
2005159535.tif 000013
【図１２】
2005159535.tif 000014